(57)【特許請求の範囲】
【請求項１】
食器を収容し洗浄する食器洗い機本体と、前記食器洗い機本体に固定された給水弁と制御回路とを有し、前記給水弁と前記食器洗い機本体の外部近傍まで配管された給水管の先端に取り付けられた止水栓とを連通する給水ホースと、前記給水ホースの外周を前記給水弁から前記止水栓近傍まで覆うカバーホースと、前記給水ホースと前記給水管との間の接続部の下方に配され、前記給水ホースから漏れて前記カバーホースにより導かれた水及び前記接続部から漏れた水を受けるトレーと、前記トレー内の水を検知するセンサーとを備え、前記センサーが水を検知すれば前記制御回路は異常を知らせるようにした食器洗い機。
【請求項２】
カバーホースの一部に、センサーのリード線を設けた請求項１に記載の食器洗い機。
【発明の詳細な説明】
【技術分野】
【０００１】
本発明は、食器洗い機に関するもので、特に、システムキッチン内に設置して使用される食器洗い機に関するものである。
【背景技術】
【０００２】
近年、システムキッチン内へ設置して使用するビルトインタイプの食器洗い機が主流となっている。
【０００３】
従来のこの種の食器洗い機として、食器類を収容して洗浄する洗浄槽を、スライドレールにより食器洗い機本体から前後方向に出し入れするスライドオープン型のものがあり、キッチンキャビネットに食器洗い機をビルトインしたシステムキッチンの構築に好適な形態である。このように洗浄槽を食器洗い機本体から出し入れする形態の食器洗い機の従来例について、図６を用いて説明する。
【０００４】
図６に示すように、従来の食器洗い機本体１は、前方に開口部１ａを有するとともに、スライドレール２を介して洗浄槽３を前後方向に移動可能に支持している。洗浄槽３は、上方に開口部３ａを有し、洗浄槽３の前方に扉４を取り付けており、食器洗い機本体１の開口部１ａを開閉する。食器洗い機本体１の上方に蓋体６を取り付け、この蓋体６は弾性体７によって食器洗い機本体１と連結されている。食器洗い機本体１の底面には、脚８が取りつけられている。
【０００５】
洗浄槽３内には、食器９を配置する食器かご１０を収納している。また、洗浄槽３内には、洗浄槽３内の洗浄水を加熱する加熱手段としてヒータ（図示せず）を設け、洗浄槽３の背面に設けた洗浄ポンプ１１で洗浄水を洗浄ノズル１２に送り、洗浄ノズル１２より洗浄水を噴射して食器かご１０に収納した食器９を洗浄するように構成している。食器洗い機本体１の背面に給水弁１３を有し、その給水弁１３の吐出側と洗浄槽３は、ホースＡ１４でつながっている。
【０００６】
１５は、食器洗い機用の給水管１６、排水管１７を内蔵した置き台で、食器洗い機本体１は、この置き台１５の上面に設置されている。給水弁１３には、給水ホース１８が接続されており、給水ホース１８の他方は、給水管１６に接続されており、給水弁１３の開閉により給水ホース１８、ホースＡ１４を通じて洗浄槽３内に給水している。また、１９は、排水ホースで、排水管１７に接続されている（例えば、特許文献１参照）。
【特許文献１】特開２００３−２１０３７８号公報
【発明の開示】
【発明が解決しようとする課題】
【０００７】
しかしながら、このような従来の食器洗い機では、食器洗い機本体１の背面に固定された給水弁１３の開閉動作により、洗浄槽３内に給水されているため、給水ホース１８内には、給水管１６の水圧と同じ水圧が加わっており、給水管１６との接続部１６ａまたは給水ホース１８の一部から水漏れした場合、漏れた水が出続け、住宅構造部材に被害を及ぼすという課題があった。
【０００８】
本発明は、上記従来の課題を解決するもので、給水ホースと給水管との間にある接続部から水漏れが生じた場合、その漏れを検出して、使用者が給水栓をとめることが出来、住宅構造部材に被害を及ぼすことを防止し、水漏れに対する安全性が向上した食器洗い機を提供することを目的としている。
【課題を解決するための手段】
【０００９】
上記従来の課題を解決するために、本発明の食器洗い機は、食器を収容し洗浄する食器洗い機本体と、前記食器洗い機本体に固定された給水弁と制御回路とを有し、前記給水弁と前記食器洗い機本体の外部近傍まで配管された給水管の先端に取り付けられた止水栓とを連通する給水ホースと、前記給水ホースの外周を前記給水弁から前記止水栓近傍まで覆うカバーホースと、前記給水ホースと前記給水管との間の接続部の下方に配され、前記給水ホースから漏れて前記カバーホースにより導かれた水及び前記接続部から漏れた水を受けるトレーと、前記トレー内の水を検知するセンサーとを備え、前記センサーが水を検知すれば前記制御回路は異常を知らせるようにしたもので、例えば、センサーでトレー内の水を検知したときに、それを報知するようにすれば、使用者は容易に水漏れが発生したことを知り、元栓をとめるなどして必要な対処が迅速にでき、住宅構造部材に大きな被害が及ぶのを防止できる安全性の高い食器洗い機本体を提供することができる。
【発明の効果】
【００１０】
本発明の食器洗い機は、給水ホースと給水管との間の接続部から水が漏れた場合、その水漏れを検知すると共に、それを知った使用者は、給水栓をとめるなどして必要な対処が迅速にでき、住宅構造部材に大きな被害が及ぶのを防止できる安全性の高いものである。
【発明を実施するための最良の形態】
【００１１】
第１の発明は、食器を収容し洗浄する食器洗い機本体と、前記食器洗い機本体に固定された給水弁と制御回路とを有し、前記給水弁と前記食器洗い機本体の外部近傍まで配管された給水管の先端に取り付けられた止水栓とを連通する給水ホースと、前記給水ホースの外周を前記給水弁から前記止水栓近傍まで覆うカバーホースと、前記給水ホースと前記給水管との間の接続部の下方に配され、前記給水ホースから漏れて前記カバーホースにより導かれた水及び前記接続部から漏れた水を受けるトレーと、前記トレー内の水を検知するセンサーとを備え、前記センサーが水を検知すれば前記制御回路は異常を知らせるようにしたもので、例えば、センサーでトレー内の水を検知したときに、それを報知するようにすれば、使用者は容易に水漏れが発生したことを知り、元栓をとめるなどして必要な対処が迅速にでき、住宅構造部材に大きな被害が及ぶのを防止できる安全性の高い食器洗い機本体を提供することができる。
【００１３】
第２の発明は、特に、第１の発明のカバーホースの一部に、リード線を設けたもので、給水ホースとセンサーなどの電気部品に接続されるリード線の引き回しや固定などが容易になり、施工性を向上させることができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における食器洗い機の縦断面図である。なお、従来例と同じ構成部品については、同一符号を付してその説明を省略する。
【００１６】
図１において、２０は、食器洗い機本体１に固定された給水弁で、給水側に給水ホース２１が接続されている。給水弁２０の吐出側には、ホースＡ１４が接続されている。食器洗い機本体１は、置き台１５上に設置されており、置き台１５内部には、給水管２２、排水管２３が配管されており、給水管２２の先端には、止水栓２４が取り付けられている。また置き台１５の前面には、着脱自在のフタ１５ａが取り付けられており、フタ１５ａを外すことにより、止水栓２４の開閉操作が、置き台１５の前方よりできるようになっている。
【００１７】
前記給水弁２０に接続された給水ホース２１の他方は、止水栓２３に取り付けられている。排水管２３には、排水ホース２５が接続されている。２６は、漏れた水を受けるトレーとなる防水トレーで、給水ホース２１と止水栓２４との接続部２４ａ、止水栓２４と給水管２２との接続部２４ｂ、排水管２３と排水ホース２５との接続部（図示せず）の下方、すなわち、置き台１５の底面の略全面を覆うように設置されている。防水トレー２６内には、防水トレー２６内に一定以上の水が溜まると、それを検知するセンサー２７が取り付けられている。また扉４の上部には、操作部（図示せず）および食器洗い機本体１を制御する制御回路（図示せず）が設けられている。
【００１８】
食器洗い機本体１の背面には、電源コード３２が設けられており、電源コード３２は壁面のコンセント３３に接続されている。他の構成は、従来例の食器洗い機と同じである。
【００１９】
上記のように構成された本実施の形態における食器洗い機の動作、作用は以下の通りである。
【００２０】
洗浄槽３を引き出して食器９をセットし、洗剤を洗浄槽３内にいれ、洗浄槽３を、押し戻して、元の位置に押し込み、食器洗い機本体１を動作させると、給水弁２０が開き、ホースＡ１４を通じて、洗浄槽３内に給水される。洗浄槽３に一定量の水が給水されると、洗浄ポンプ１１により洗浄ノズル１２に、洗剤と混じった水、すなわち洗浄水が送られ、洗浄ノズル１２より洗浄水が吐出して食器９が洗浄される。止水栓２４は、食器洗い機本体１の使用時に、常に開いた状態になっているため、給水管２２内の水圧は、止水栓２４および給水ホース２１を介して給水弁２０の給水側まで加わった状態になっているため、給水弁２０を開くと洗浄槽３内に給水できるのである。
【００２１】
洗浄工程やすすぎ工程が終了すると、洗浄槽３内の水は、洗浄ポンプ１１により排水ホース２５を通じて食器洗い機本体１外に排水され、排水管２３を通じて排水される。
【００２２】
通常は、上記の動作により食器９を洗浄するのであるが、給水管２２から給水弁２０の給水側までは、常に給水管２２内の水圧が加わっているため、給水ホース２１と止水栓２４との接続部２４ａから水が漏れた場合は、漏れた箇所からは、常に水が出続けることとなるが、本実施の形態では、漏れた水が防水トレー２６内に溜まり、一定以上水が溜まるとセンサー２７が水を検知して、食器洗い機本体１の操作部に異常表示したり、音で異常を使用者に知らせるようにしている。
【００２３】
以上のように、本実施の形態によれば、止水栓２４と給水ホース２１の接続部２４ａからの水漏れや、排水ホース２５と排水管２３の接続部（図示せず）からの水漏れを検知することができると共に、操作部での異常表示や音で、水漏れが発生したことを知った使用者が、置き台１５の前面に設けたフタ１５ａを外して、中の止水栓２４を閉じることにより漏れ続けている水を止めることができ信頼性の高い食器洗い機を提供できる。
【００２４】
（実施の形態２）
図２は、本発明の第２の実施の形態における食器洗い機の縦断面図、図３は、同食器洗い機の要部部分拡大図である。なお、上記第１の実施の形態における食器洗い機と同一部分については同一符号を付してその説明を省略する。
【００２５】
本実施の形態は、図２、図３に示すように、給水弁２０の給水側と止水栓２４とを、カバーホース２９で覆われた給水ホース２８で連通すると共に、カバーホース２９と給水ホース２８との間に空間を設けたもので、他の構成は、上記第１の実施の形態と同じである。
【００２６】
上記のように構成された本実施の形態における食器洗い機の作用を説明すると、給水管２２から給水弁２０の給水側までは、常に給水管２２内の水圧が加わっているため、給水ホース２８と給水管２２との間の接続部から水が漏れた場合は、漏れた箇所からは常に水が出続けることとなるが、この場合は、防水トレー２６内に漏れた水が溜まり、一定以上水が溜まるとセンサー２７が水を検知して、食器洗い機本体１の操作部に異常表示したり、音で異常を使用者に知らせる。
【００２７】
また、給水ホース２８が劣化して破れたりした場合、給水ホース２８には給水管２２の水圧が常時加わっているため、破れた箇所から水が出続けることとなる。給水ホース２８は、カバーホース２９で覆われているため、給水ホース２８とカバーホース２９の間を通って防水トレー２６に導かれる。防水トレー２６に一定の水が溜まるとセンサー２７が水を検知して、食器洗い機の操作部にＬＥＤ等で異常表示したり、音で異常を知らせるようにしている。
【００２８】
これにより止水栓２４と給水ホース２８との接続部２４ａ、または給水管２２と止水栓２４の接続部２４ｂから漏れた場合はもとより、給水ホース２８のどこから水漏れしても、水漏れを検知するこができ、信頼性の高い食器洗い機を提供できる。
【００２９】
以上のように、本実施の形態によれば、給水ホース２８が劣化して破れたりした場合、給水ホース２８はカバーホース２９で覆われているため、給水ホース２８とカバーホース２９の間を通って防水トレー２６に導かれ、止水栓２４と給水ホース２１の接続部２４ａ、または給水管２２と止水栓２４との接続部２４ｂが漏れた場合はもとより、給水ホース２８のどこから水漏れしても、水漏れを検知するこができ、信頼性の高い食器洗浄機を提供できる。
【００３０】
（実施の形態３）
図４は、本発明の第３の実施の形態における食器洗い機の給水ホース部の詳細図、図５は、同給水ホース部の拡大断面図である。なお、上記実施の形態における食器洗い機と同一部分については同一符号を付してその説明を省略する。
【００３１】
本実施の形態は、図４、５に示すように、止水栓２４と給水弁２０とを、カバーホース３０で覆われた給水ホース２８で接続すると共に、防水トレー２６の底面に取り付けられたセンサー２７のリード線３１を、カバーホース３０の外側に一体に構成したもので、他の構成は、上記第１の実施の形態と同じである。なお、カバーホース３０と給水ホース２８との間には、空間Ｓを設けている。
【００３２】
食器洗い機本体１を置き台１５に設置する場合、給水ホース２８を、給水管２２に接続された止水栓２４に接続するため、給水ホース２８を置き台１５の背面から手前に引っ張り出す作業が必要になってくるが、本実施の形態では、給水ホース２８と一体になっているカバーホース３０にセンサー用のリード線３１も一体になっているため、施工作業が楽で、かつリード線３１が置き台１５のコーナー等に引っかかり切れたりすることがなく作業ができるので、食器洗い機の施工作業の信頼性及び工事性を向上させることができる。
【００３３】
なお、給水ホース２８からの水漏れに関しては、実施の形態２と同様の効果を得ることができる。
【産業上の利用可能性】
【００３４】
以上のように、本発明にかかる食器洗い機は、給水ホースと給水管との間の接続部から水が漏れた場合、その水漏れを検知すると共に、それを知った使用者は、給水栓をとめるなどして必要な対処が迅速にでき、住宅構造部材に大きな被害が及ぶのを防止できる安全性の高いもので、システムキッチン内へ設置して使用する食器洗い機や衣類洗濯機等に有用である。
【図面の簡単な説明】
【００３５】
【図１】本発明の実施の形態１における食器洗い機の縦断面図
【図２】本発明の実施の形態２における食器洗い機の縦断面図
【図３】同食器洗い機の要部部分拡大図
【図４】本発明の実施の形態３における食器洗い機の給水ホース部の詳細図
【図５】同給水ホース部の拡大断面図
【図６】従来の食器洗い機の縦断面図
【符号の説明】
【００３６】
１    食器洗い機本体
９    食器
１５  置き台
２０  給水弁
２１  給水ホース
２２  給水管
２３  排水管
２４ａ、２４ｂ  接続部
２６  防水トレー（トレー）
２７  センサー
２９  カバーホース
３１  リード線
【図１】
0004760528.tif 000002
【図２】
0004760528.tif 000003
【図３】
0004760528.tif 000004
【図４】
0004760528.tif 000005
【図５】
0004760528.tif 000006
【図６】
0004760528.tif 000007